(57)【要約】【課題】防虫効果が高く、通風性にも優れた防虫ネットを提供する。【解決手段】モノフィラメントからなる編織物に紡績糸を含有させることにより、降雨時にも水膜が張りにくい防虫ネットが得られる。【選択図】なし【特許請求の範囲】
【請求項１】
モノフィラメントを用いた編織物からなる防虫ネットであって、該編織物に少なくとも１本の紡績糸が含有されることを特徴とする、防虫ネット。
【請求項２】
前記モノフィラメントがポリオレフィン系繊維からなることを特徴とする、請求項１に記載の防虫ネット。
【請求項３】
前記編織物の目合いが０．２〜３．０ｍｍであることを特徴とする、請求項１または２に記載の防虫ネット。
【請求項４】
前記紡績糸が経糸および緯糸の少なくとも一方に対して平行に挿入されることを特徴とする、請求項１〜３のいずれか１項に記載の防虫ネット。
【請求項５】
前記紡績糸がポリエステル系繊維からなることを特徴とする、請求項１〜４のいずれか１項に記載の防虫ネット。
【請求項６】
前記紡績糸がポリビニルアルコール系繊維からなることを特徴とする、請求項１〜４のいずれか１項に記載の防虫ネット。
【請求項７】
前記防虫ネットの少なくとも一部に忌避剤を担持させてあることを特徴とする、請求項１〜６のいずれか１項に記載の防虫ネット。
【請求項８】
前記忌避剤が、防虫ネットの前記紡績糸に担持させてなることを特徴とする、請求項７に記載の防虫ネット。
【請求項９】
前記忌避剤が、マイクロカプセル内に封入されて徐放可能としたものであることを特徴とする、請求項７または８に記載の防虫ネット。
【発明の詳細な説明】
【技術分野】
【０００１】
本発明は、害虫に対して忌避効果を有するだけでなく、通風性を兼ね備えた防虫ネットに関する。
【背景技術】
【０００２】
野菜類、花卉類、果樹類などの植物栽培において、葉や果実を害虫の食害から守る方法の一つとして、防虫ネットの使用は有用である。この防虫ネットは、基本的には、栽培している植物の上面全体をトンネル型にあるいはハウス型に覆って害虫の侵入を防ぐものである。したがって、対象とする害虫が通り抜けることができない大きさの目合いを有するネットが用いられる。この点からは、目合いの小さい防虫ネットほど、いろいろな害虫の侵入を防ぐことができるので、防虫効果が大きく、そのような防虫ネットは特許文献１などで開示されている。
【先行技術文献】
【特許文献】
【０００３】
【特許文献１】特開２０００−２１７４４６号公報
【発明の概要】
【発明が解決しようとする課題】
【０００４】
上述したように、目合いが小さい防虫ネットの方がいろいろな害虫の侵入を防ぐことができ、防虫効果は高いとされているが、目合いが小さいゆえに風通しが悪く、特に降雨時にはネットの表面に雨水の膜が張ってしまい、防虫ネットが被覆された内部で蒸れが生じ、栽培の対象となる作物の生育に悪影響を及ぼす可能性があるだけでなく、ハウス型の場合には、作業者の環境が著しく悪化する課題があった。
したがって、本発明では、目合いが小さいにもかかわらず、風通しがよい防虫ネットを提供することを目的とする。
【課題を解決するための手段】
【０００５】
本発明者等は、上記課題について鋭意検討した結果、モノフィラメントからなる編織物に紡績糸を含有させることにより、降雨時にも水膜が張りにくくなり、通風性に優れた防虫ネットが得られることを見出し、本発明に到達した。
【０００６】
すなわち、本発明によれば、以下のものが提供される。
（１）モノフィラメントを用いた編織物からなる防虫ネットであって、該編織物に少なくとも１本の紡績糸が含有されることを特徴とする防虫ネット。
（２）前記モノフィラメントがポリオレフィン系繊維からなることを特徴とする、前記防虫ネット。
（３）前記編織物の目合いが０．２〜３．０ｍｍであることを特徴とする、前記防虫ネット。
（４）前記紡績糸が経糸および緯糸の少なくとも一方に対して平行に挿入されることを特徴とする、前記防虫ネット。
（５）前記紡績糸がポリエステル系繊維からなることを特徴とする、前記防虫ネット。
（６）前記紡績糸がポリビニルアルコール系繊維からなることを特徴とする、前記防虫ネット。
（７）前記防虫ネットの少なくとも一部に忌避剤を担持させてあることを特徴とする、前記防虫ネット。
（８）前記忌避剤が、防虫ネットの前記紡績糸に担時させてあることを特徴とする、前記防虫ネット。
（９）前記忌避剤が、マイクロカプセル内に封入されて徐放可能としたものであることを特徴とする、前記防虫ネット。
【発明の効果】
【０００７】
本発明によれば、目合いが小さいことに起因する高い防虫効果を保持しつつ、通風性も確保されて植物の生育環境、および作業者の環境を改善することができる防虫ネットが得られる。また、防虫ネットに忌避剤を担持させることで、さらに防虫効果を高めることができる。
【発明を実施するための形態】
【０００８】
以下、本発明について詳細に説明する。
【０００９】
（モノフィラメント）
本発明の防虫ネットは、モノフィラメントの編織物からなる。
本発明の編織物に用いるモノフィラメントは、繊維形成性樹脂からなる繊維であればいかなるものでもよく、例えば、ポリエチレン、ポリプロピレン、ポリブテン、ポリメチルペンテンなどの各種ポリオレフィン系繊維、ナイロン６、ナイロン６６、ナイロン６１０等の各種ポリアミド系繊維、ポリエチレンテレフタレート、ポリブチレンテレフタレート、ポリプロピレンテレフタレート、ポリエチレンナフタレートなどの各種ポリエステル系繊維、ポリフェニレンサルファイド系繊維、ポリ乳酸、ポリブチレンサクシネート、ポリエチレンサクシネートおよびポリブチレン（サクシネート／アジペート）共重合体などの各種生分解性ポリマー系繊維、各種ポリスチレン系繊維、ポリメチルメタクリレートなどのポリアクリレート系繊維、各種ポリビニルアルコール系繊維、各種ポリカーボネート繊維、各種ポリケトン系繊維、各種ポリエーテルイミド系繊維、各種ポリイミド繊維、各種ポリエーテル系繊維、熱可塑性ポリウレタンなどの各種熱可塑性エラストマー類、およびテトラフルオロエチレン／エチレン共重合体、テトラフルオロエチレン／パーフルオロアルコキシルビニルエーテル共重合体、テトラフルオロエチレン／ヘキサフルオロプロピレン共重合体、ポリビニリデンフロライド、テトラフルオロエチレン−ヘキサフルオロプロピレン−ビニリデンフロライド共重合体などの各種フッ素樹脂類などを挙げることができる。これらは単独で用いてもよく、２種類以上を組み合わせて用いてもよい。
なかでも、加工性および取扱い性の点から、ポリオレフィン系繊維であることが好ましく、ポリエチレンであることがより好ましい。
【００１０】
前記モノフィラメントの単糸繊度は、防虫ネットの通気性の点から、５０〜３００ｄｔｅｘの範囲にあることが好ましく、８０〜１８０ｄｔｅｘであることがより好ましい。
【００１１】
前記モノフィラメントの平均繊維径は、防虫ネットの通気性の点から、７０〜１８０μｍの範囲にあることが好ましく、８０〜１３０μｍであることがより好ましい。
【００１２】
前記モノフィラメントの断面形状は特に限定されず、丸、楕円、３角、Ｔ、Ｙ、Ｈ、＋、５葉、６葉、７葉、８葉、などの多様形状、正方形、長方形、菱形、ドッグボーン状および繭型などいかなる断面形状を有するものでもよい。
【００１３】
前記モノフィラメントに用いる繊維形成性樹脂には、目的に応じて公知の有機・無機の各種添加剤を含有することができ、例えば異種の熱可塑性樹脂類、耐候剤、難燃剤などの老化防止剤、酸化防止剤、酸化チタン、酸化ケイ素、炭酸カルシウム、チッ化ケイ素、炭化ケイ素、硫酸バリウム、カーボンブラックなどの無機粒子・顔料類、フタロシアニン金属系、コバルト青などの各種有機顔料、ステアリン酸金属塩類、エチレンビスステアリルアミド、メタケイ酸カルシウム、含水ケイ酸マグネシウム、アミノシラン、メラミンシアヌレート、アイオノマー類、金属イオン封鎖剤、包接化合物、着色防止剤、帯電防止剤、シリコーンオイル、各種界面活性剤類、各種強化繊維類、各種カルボジイミド、各種エポキシ化合物および各種オキサゾリン化合物、クレー、タルク、カオリン、ジルコニウム酸などの各種無機粒子や架橋高分子粒子などの粒子類、抗酸化剤、イオン交換剤、各種着色剤、包接化合物、シリコーンオイル、フッ素樹脂類、ポリスチレンなどを含有することができる。
【００１４】
（編織物）
本発明の防虫ネットは、前記モノフィラメントの編織物からなるが、該編織物の組織としては用途によって適宜選択することができ、例えば織物の場合は平織り、綾織り、朱子織りなどが挙げられ、編物の場合はトリコット、ラッセル、ミラニーズなどが挙げられる。中でも、通気性の点から平織りが好ましい。
【００１５】
前記編織物の目合いは、通気性だけでなく防虫性も兼ね備える目的から、好ましくは０．２〜３．０ｍｍの範囲にあり、より好ましくは０．３〜１．０ｍｍであり、さらに好ましくは０．４〜１．０ｍｍである。
【００１６】
（紡績糸）
本発明の防虫ネットは、前記モノフィラメントからなる編織物に、少なくとも１本の紡績糸が含有されることにより、優れた通風性を有することを特徴とする。
本発明の防虫ネットにおいて、紡績糸が含有される態様は特に限定されないが、前記編織物を構成する経糸および／または緯糸の少なくとも一方と平行に挿入されることが、降雨時、および降雨後に水の膜を効果的に除去する目的から好ましい。
【００１７】
前記紡績糸は、少なくとも１本含有されることで防虫ネットの水膜を除去する効果を生じるが、前記紡績糸が２本以上含有されているとき、２インチあたり１本以上の間隔で前記紡績糸が平行に挿入されていることが、速やかに水の膜を除去できる点から好ましい。より好ましくは、１インチあたり１本以上である。
【００１８】
本発明の紡績糸に用いる繊維は、繊維形成性樹脂からなる繊維であればいかなるものでもよい。それは、目合いが小さいにもかかわらず、水の膜が張りにくく通風性に優れるという本発明の効果に関しては、紡績糸という形態による寄与が大きいと考えられるためである。従って、紡績糸として調製可能であれば繊維の種類は特に限定されないが、汎用性や形態安定性の点からはポリエステル系繊維が好ましく、吸水性や耐候性の点からはポリビニルアルコール系繊維が好ましい。
ポリエステル系繊維としては、ポリエチレンテレフタレート、ポリトリメチレンテレフタレート、ポリブチレンテレフタレート、カチオン可染型ポリエステルなどの公知のポリエステル重合体が用いられ、必要に応じてイソフタル酸、ポリエチレングリコールなどの第３成分を１ないし数種類共重合させたものも用いることもできる。
ポリビニルアルコール系繊維としては、ビニロンが好ましく用いられる。
【００１９】
前記紡績糸に用いる繊維の単糸繊度は、吸水性の点から、好ましくは０．７〜３．０ｄｔｅｘであり、より好ましくは１．０〜１．６ｄｔｅｘである。
【００２０】
前記紡績糸に用いる繊維の平均繊維径は、吸水性の点から、８〜１８μｍの範囲にあることが好ましく、９〜１３μｍであることがより好ましい。
【００２１】
前記紡績糸に用いる繊維の平均繊維長は、特に限定されず任意に選択可能であるが、例えば３０〜８０ｍｍである。
【００２２】
前記紡績糸の撚り数は、特に限定されず任意に選択可能であるが、例えば１２．５〜１７．０Ｔ／ｍである。
【００２３】
（忌避剤）
本発明の防虫ネットは、防虫効果を高めることを目的として、少なくとも一部に忌避剤を担持させることが好ましい。特に、前記紡績糸に忌避剤が担時されていることが、加工性の点から、より好ましい。
【００２４】
前記忌避剤としては、特に限定されるものではないが、化学品由来のものに関して突然変異性や頭痛、湿疹、記憶障害など様々な弊害をもたらすことが指摘されていることもあり、天然物由来のものが好ましい。具体的には、コパイバオイルおよび／またはカリオフィレン、ベチバー油、エレミ油およびエレミリジノイド、オレンジフラワー油、ゲラニウム油、タイムホワイト油、タイムレッド油、ナツメグ油、パチョウリ油、パルマローザ油、ビターオレンジ油、レモングラス油、キンモクセイ油、ゴマ油、シナモンリーフ油、セロリー油、トルーバルサム、ペルーバルサム、オークモス、サンダルウッド油、スペアミント油、ローレル油、ガーリック油、ココナッツ油、ジル油（イノンド油）、バーチ油、グルジョンバルサム油、ダイオウ（大黄）抽出物、オリバナムレジノイド又は乳香樹脂、ベンゾインレジノイド又は安息香樹脂、ホップアブソリュート、ガイアックウッド油、カリオフィレンオキサイド、フェンチルアルコール、レッドシーダーオイル油、タンニン、カフェイン又は無水カフェイン、ガラナ抽出物、クパーナの種子、ケイパー抽出物、アニス油、バチュリ（パチョリ）油、セージ油、タイム油、ローズマリー油、グローブ油、ユーカリ油、バンレイシ科植物の種子の抽出物、アオガンピからの抽出物、月桃油、山奈油、ダイウイキョウ油、（スターアニス油）ショウガ科植物の種子の抽出物、オビスギ抽出物、月桃油、山奈油、ダイウイキョウ油（スターアニス油）、ペニーロイヤル油、ニーム油等のなどの天然精油が挙げられ、特に、優れた防虫性、忌避性の点から、ニーム油がより好ましい。
【００２５】
前記忌避剤を防虫ネットの少なくとも一部、例えば紡績糸に担持させる方法は特に限定されないが、前記忌避剤を樹脂で固着させる方法等が挙げられる。前記忌避剤を固着させる樹脂としては、具体的には、ポリビニルアルコール系、シリコン系、ウレタン系、酢酸ビニル系、アクリル系、ポリエステル系、フェノール系、塩化ビニル系の樹脂、澱粉等の糊剤等を挙げることができ、いずれの樹脂を用いてもよい。より好ましくは耐久性の点から、ゴム状皮膜を形成するポリビニルアルコール系、シリコン系、ウレタン系、アクリル系、酢酸ビニル系の樹脂を用いるのがよい。さらにより好ましくは、耐久性のある接着効果を奏するシリコン系樹脂を用いるのがよく、中でも水への分散性に優れ、水で容易に希釈可能な水性エマルジョン型のシリコン系樹脂、具体的にはオルガノポリシロキサンを主成分とし乳化剤で乳化したシリコン系樹脂を用いるのがよい。
【００２６】
（マイクロカプセル加工）
本発明の防虫ネットに用いる忌避剤は、マイクロカプセル内に封入されて好ましい量ずつ徐々に放出されるように調整されたものであることが、長期的に徐放可能とする目的から好ましい。
前記忌避剤は、徐放性マイクロカプセルで包接されていることが好ましく、適宜の摩擦によってマイクロカプセルが壊れ、忌避剤が露呈する（好ましくは防虫剤の臭いを発散する）ものや、多孔性壁膜より徐々に気散するものであればよく、その組成等は特に限定されないが、低ホルマリンマイクロカプセルや、シリカゲルによるマイクロカプセル等が好ましい。
【００２７】
前記マイクロカプセルの壁膜としては、例えば主成分がホルマリン系樹脂のものを挙げることができ、より好ましくは尿素−ホルマリン系樹脂、メラミン−ホルマリン系樹脂のものが、耐熱性、耐圧性および耐水性に優れているのでよい。
【００２８】
前記マイクロカプセルの大きさや、マイクロカプセル中の前記忌避剤の含有量は、特に限定されず、目的や用途に応じて任意に選択することができる。
【００２９】
前記忌避剤を前記マイクロカプセルで包接する方法は、公知の方法を用いればよく、例えば、ホルマリン系樹脂を壁膜とする忌避剤入りマイクロカプセルは、害虫防除剤を配合した芯物質と尿素又はメラミンとを水中に乳化させ（水温４０℃で、乳化剤はポリエチレンスルホン酸ソーダ、ポリアクリル酸ソーダ、ポリビニルアルコール、ポリエチレングリコールなど必要によりｐＨ調整を行う。）、ホルマリン水溶液を加えた後、攪拌下で７０℃に昇温して重縮合反応させる。次いで生成したマイクロカプセルを濾過・乾燥すると得ることができる。忌避剤入りマイクロカプセルの大きさは、主として攪拌の強弱と乳化剤の濃度により、壁膜の含有量は主として油滴中の尿素又はメラミンの濃度により、また壁膜の多孔性は主としてホルマリンの濃度によりコントロールする（緻密にするためには高濃度のホルマリンを使う）。また、例えば、二酸化ケイ素のコロイド溶液の中に忌避剤を分散させ、噴霧しながら乾燥してシリカゲルの多孔質カプセルを製造する方法も挙げることができる。
【産業上の利用可能性】
【００３０】
本発明の防虫ネットは、優れた防虫性と通風性とを兼ね備えており、主に農業分野で利用価値が高い。
【００３１】
以上の通り、本発明の好適な実施形態を説明したが、本発明の趣旨を逸脱しない範囲で、種々の追加、変更または削除が可能であり、そのようなものも本発明の範囲内に含まれる。